(57)【要約】【課題】容器を陳列する際に容器の標記をランダムな方向に向けて容器を置いても、標記を所定の方向に向けて容器を陳列することが可能な陳列システム等を提供する。【解決手段】容器本体２１の外周面には、フィルムＦが装着されている。フィルムＦには、商品名、商標名など他の商品と識別するための識別標記２３が印刷されている。また容器２０は、キャップ２２の下部側に、第２突出部２５を備えている。第２突出部２５は、その下面が階段状に形成されており、複数の段部を備えた構成となっている。詳細に説明すると、第２突出部２５は、時計回り方向に進むに従い高さが減少するように、その下面が階段状に形成されている。このため、第２突出部２５は、その下部に、高さ方向における位置が互いに異なる第１平坦面２５１〜第６平坦面２５６を備えた構成となっている。【選択図】図３
2010246783.tif 000002
【特許請求の範囲】
【請求項１】
開口を有し外面に標記が付された容器本体と、当該容器本体の当該開口を塞ぐキャップとを備えた容器と、
前記容器を陳列する陳列装置と、
を備え、
前記陳列装置は、
前記容器が移動する移動路と、
前記容器の移動方向にて複数の位置に配置され、前記移動路に突出する突出部と、を備え、
前記容器の前記キャップは、
筒状に形成され外周面を有したキャップ本体と、
前記キャップ本体の周方向における所定範囲内に且つ当該周方向において複数配置され、前記陳列装置に設けられた前記突出部に接触可能な接触部と、
を備え、
前記移動路を移動する前記容器の前記標記が特定の方向を向いていない場合に前記接触部が前記突出部に順次接触することで当該容器が周方向に回転し当該標記が当該特定の方向を向くことを特徴とする陳列システム。
【請求項２】
前記接触部は、前記キャップ本体の前記外周面よりも当該キャップ本体側に設けられていることを特徴とする請求項１記載の陳列システム。
【請求項３】
前記接触部の各々は、前記容器の高さ方向において互いに異なる位置に配置されていることを特徴とする請求項１又は２に記載の陳列システム。
【請求項４】
前記突出部の各々は、複数の前記接触部のうちの一の接触部に接触し他の接触部には接触しないように高さ方向における位置が互いにずらされて設けられていることを特徴とする請求項３記載の陳列システム。
【請求項５】
開口を有し外面に標記が付された容器本体と、外周面を有するとともに当該外周面と交差する関係の面を周方向の所定範囲内に且つ当該周方向の異なる位置に複数備え当該容器本体の当該開口を塞ぐキャップとを備えた容器を陳列可能な陳列装置であって、
前記容器が移動する移動路と、
前記移動路を移動する前記容器の前記標記が特定の方向以外の方向を向いている場合に前記交差する関係の面に順次接触し当該容器を回転させ、当該移動路を移動する当該容器の当該標記が当該特定の方向を向いている場合に前記キャップの前記外周面であって当該交差する関係の面が設けられていない部位に対峙する回転手段と、
を含む陳列装置。
【請求項６】
前記回転手段は、高さ方向における位置が調整可能に設けられていることを特徴とする請求項５記載の陳列装置。
【請求項７】
前記回転手段は、前記容器の移動方向における複数の箇所に、前記移動路に突出する突出部を有し、当該突出部を前記交差する関係の面に順次接触させることで当該容器の前記回転を行うことを特徴とする請求項５又は６に記載の陳列装置。
【請求項８】
開口を有し外面に標記が付された容器本体と、
前記容器本体に装着され前記開口を塞ぐキャップと、を備え、
前記キャップは、
筒状に形成されるとともに外周面を有したキャップ本体と、
前記容器本体の前記標記と予め定められた位置関係を有した箇所に位置し、前記キャップ本体の前記外周面と交差する関係で配置された面が当該キャップ本体の周方向において複数設けられた面形成部位と、
を有することを特徴とする容器。
【請求項９】
前記外周面と交差する関係で配置された面は、前記キャップ本体の前記外周面よりも当該キャップ本体側に設けられていることを特徴とする請求項８記載の容器。
【請求項１０】
前記面形成部位とは高さ方向における異なる位置に、当該面形成部位を更に備えることを特徴とする請求項８又は９に記載の容器。
【請求項１１】
前記標記は、前記容器本体の周方向における異なる位置に複数設けられ、
前記面形成部位は、複数の前記標記のうちの一の標記と前記予め定められた位置関係を有して配置され、
複数の前記標記のうちの他の標記と予め定められた位置関係を有して配置された前記面形成部位を更に備えることを特徴とする請求項８又は９に記載の容器。
【請求項１２】
前記他の標記と予め定められた位置関係を有して配置された前記面形成部位は、前記一の標記と予め定められた位置関係を有して配置された前記面形成部位とは高さ方向における異なる位置に配置されていることを特徴とする請求項１１記載の容器。
【請求項１３】
前記交差する関係で配置された面の各々は、前記キャップ本体の高さ方向において互いに異なる位置に配置されていることを特徴とする請求項８乃至１２の何れかに記載の容器。
【請求項１４】
筒状に形成されるとともに外周面を有し、外面に標記が付された容器の開口を塞ぐキャップ本体と、
前記容器と前記キャップ本体とが予め定められた位置関係を有した状態で当該容器に当該キャップ本体が装着された場合に前記標記と予め定められた位置関係を有した箇所に位置し、当該キャップ本体の前記外周面と交差する関係で配置された面が当該キャップ本体の周方向において複数設けられた面形成部位と、
を含むキャップ。
【請求項１５】
前記外周面と交差する関係で配置された面は、前記キャップ本体の前記外周面よりも当該キャップ本体側に設けられていることを特徴とする請求項１４記載のキャップ。
【請求項１６】
前記面形成部位とは高さ方向における異なる位置に、当該面形成部位を更に備えることを特徴とする請求項１４又は１５に記載のキャップ。
【請求項１７】
前記面形成部位は、前記容器に設けられた複数の前記標記のうちの一の標記と前記予め定められた位置関係を有して配置され、
複数の前記標記のうちの他の標記と予め定められた位置関係を有して配置される前記面形成部位を更に備えることを特徴とする請求項１４又は１５に記載のキャップ。
【請求項１８】
前記他の標記と予め定められた位置関係を有して配置される前記面形成部位は、前記一の標記と予め定められた位置関係を有して配置された前記面形成部位とは高さ方向における異なる位置に配置されることを特徴とする請求項１７記載のキャップ。
【請求項１９】
前記交差する関係で配置された面の各々は、前記キャップ本体の高さ方向において互いに異なる位置に配置されていることを特徴とする請求項１４乃至１８の何れかに記載のキャップ。
【発明の詳細な説明】
【技術分野】
【０００１】
本発明は、容器の陳列を行う陳列システム等に関する。
【背景技術】
【０００２】
例えばコンビニエンスストアなどにおいては、ペットボトルなど飲料が充填された容器が、陳列装置に縦置きに載せられて販売される。そしてこのような陳列装置は、例えば、容器自身の自重により陳列ケースの前方に容器が移動するように傾斜した状態で配置される。そして、手前側（最前列）の１つの容器を抜き取ると、後続の容器が自重で手前側に移動する。
【０００３】
ここで陳列装置の容器が載せられる箇所には、容器の滑りの良さから例えばプラスチックの平板が設けられる。また、近年では回転可能なローラを多数配置した陳列装置が提案されている（例えば、特許文献１参照）。また、容器の補充は陳列装置の後方側から行うのが一般的であるが、手前側からの容器の投入を可能とするとともに、奥側に移動した容器が、再度手前側に移動し陳列される陳列装置も提案されている（例えば、特許文献２参照）。即ち、前方側から投入された容器がＵターンして戻ってくる陳列装置が提案されている。さらに、容器に関するものとして、缶底に形成された環状凸部の内周壁に、内側凹部と縦リブとが円周方向に交互に形成された缶が提案されている（例えば、特許文献３参照）。
【０００４】
ところで、容器の外面には、商品名や商標名などの標記が設けられるが、この標記が購入者の取り出し方向に向いていないと、商品の識別がしにくくなるとともに、商品の陳列時の見栄えが悪くなる。このため、陳列される容器は、例えば前方側など、標記が所定の方向に向いていることが好ましい。
【０００５】
公報記載の従来技術として、容器が載せられる傾斜棚板の上面に、棚板傾斜方向に向けて棒状のガイド凸条を設け、容器の底部に、標記の直下と標記が付された面とは反対側の面の直下とを結ぶ凹状嵌合部を設け、このガイド凸条と凹状嵌合部とを用いて容器を陳列する陳列方法が提案されている（例えば、特許文献４参照）。この陳列方法では、標記が前方側を向く姿勢で凹状嵌合部をガイド凸条に嵌合させ、複数の容器を前後に並べる。この結果、標記が前方を向いた状態で容器の陳列が行われる。
【先行技術文献】
【特許文献】
【０００６】
【特許文献１】特開平１１−１５５７０１号公報
【特許文献２】米国特許第６５０２４０８号
【特許文献３】特開２０００−２１１６２４号公報
【特許文献４】特開２００６−２８８６７６号公報
【発明の概要】
【発明が解決しようとする課題】
【０００７】
上記特許文献４では、凹状嵌合部をガイド凸条に嵌合させ容器の陳列を行うことで、標記を確実に前方に向けることが可能となる。しかしながら、かかる発明では、容器を陳列棚に陳列する際に、容器の投入者は、容器を陳列装置に設置する度に凹状嵌合部をガイド凸条に嵌合させる必要があり、容器の陳列作業が繁雑となる。また、標記が容器の一箇所にのみ形成されている場合には、標記が後方側に向いた状態で陳列される陳列ミスの発生も懸念される。また、コンビニエンスストアなどの多量の飲料を販売する店舗等では、向きを揃えて投入する作業が非常に大掛かりとなる。
【０００８】
本発明は、容器を陳列する際に容器の標記をランダムな方向に向けて容器を置いても、標記を所定の方向に向けて容器を陳列することが可能な陳列システム等を提供することを主たる目的とする。
【課題を解決するための手段】
【０００９】
かかる目的のもと、本発明が適用される陳列システムは、開口を有し外面に標記が付された容器本体と、容器本体の開口を塞ぐキャップとを備えた容器と、容器を陳列する陳列装置と、を備え、陳列装置は、容器が移動する移動路と、容器の移動方向にて複数の位置に配置され、移動路に突出する突出部と、を備え、容器のキャップは、筒状に形成され外周面を有したキャップ本体と、キャップ本体の周方向における所定範囲内に且つ周方向において複数配置され、陳列装置に設けられた突出部に接触可能な接触部と、を備え、移動路を移動する容器の標記が特定の方向を向いていない場合に接触部が突出部に順次接触することで容器が周方向に回転し標記が特定の方向を向くことを特徴とする陳列システムである。
【００１０】
ここで、接触部は、キャップ本体の外周面よりもキャップ本体側に設けられていることを特徴とすることができる。また、接触部の各々は、容器の高さ方向において互いに異なる位置に配置されていることを特徴とすることができる。さらに、突出部の各々は、複数の接触部のうちの一の接触部に接触し他の接触部には接触しないように高さ方向における位置が互いにずらされて設けられていることを特徴とすることができる。
【００１１】
また、本発明を陳列装置と捉えた場合、本発明が適用される陳列装置は、開口を有し外面に標記が付された容器本体と、外周面を有するとともに外周面と交差する関係の面を周方向の所定範囲内に且つ周方向の異なる位置に複数備え容器本体の開口を塞ぐキャップとを備えた容器を陳列可能な陳列装置であって、容器が移動する移動路と、移動路を移動する容器の標記が特定の方向以外の方向を向いている場合に交差する関係の面に順次接触し容器を回転させ、移動路を移動する容器の標記が特定の方向を向いている場合にキャップの外周面であって交差する関係の面が設けられていない部位に対峙する回転手段と、を含む陳列装置である。
【００１２】
ここで、回転手段は、高さ方向における位置が調整可能に設けられていることを特徴とすることができる。また、回転手段は、容器の移動方向における複数の箇所に、移動路に突出する突出部を有し、突出部を交差する関係の面に順次接触させることで容器の回転を行うことを特徴とすることができる。
【００１３】
また、本発明を容器と捉えた場合、本発明が適用される容器は、開口を有し外面に標記が付された容器本体と、容器本体に装着され開口を塞ぐキャップと、を備え、キャップは、筒状に形成されるとともに外周面を有したキャップ本体と、容器本体の標記と予め定められた位置関係を有した箇所に位置し、キャップ本体の外周面と交差する関係で配置された面がキャップ本体の周方向において複数設けられた面形成部位と、を有することを特徴とする容器である。
【００１４】
ここで、外周面と交差する関係で配置された面は、キャップ本体の外周面よりもキャップ本体側に設けられていることを特徴とすることができる。また、面形成部位とは高さ方向における異なる位置に、面形成部位を更に備えることを特徴とすることができる。さらに、標記は、容器本体の周方向における異なる位置に複数設けられ、面形成部位は、複数の標記のうちの一の標記と予め定められた位置関係を有して配置され、複数の標記のうちの他の標記と予め定められた位置関係を有して配置された面形成部位を更に備えることを特徴とすることができる。また、他の標記と予め定められた位置関係を有して配置された面形成部位は、一の標記と予め定められた位置関係を有して配置された面形成部位とは高さ方向における異なる位置に配置されていることを特徴とすることができる。さらに、交差する関係で配置された面の各々は、キャップ本体の高さ方向において互いに異なる位置に配置されていることを特徴とすることができる。
【００１５】
また、本発明をキャップと捉えた場合、本発明が適用されるキャップは、筒状に形成されるとともに外周面を有し、外面に標記が付された容器の開口を塞ぐキャップ本体と、容器とキャップ本体とが予め定められた位置関係を有した状態で容器にキャップ本体が装着された場合に標記と予め定められた位置関係を有した箇所に位置し、キャップ本体の外周面と交差する関係で配置された面がキャップ本体の周方向において複数設けられた面形成部位と、を含むキャップである。
ここで、外周面と交差する関係で配置された面は、キャップ本体の外周面よりもキャップ本体側に設けられていることを特徴とすることができる。また、面形成部位とは高さ方向における異なる位置に、面形成部位を更に備えることを特徴とすることができる。さらに、面形成部位は、容器に設けられた複数の標記のうちの一の標記と予め定められた位置関係を有して配置され、複数の標記のうちの他の標記と予め定められた位置関係を有して配置される面形成部位を更に備えることを特徴とすることができる。また、他の標記と予め定められた位置関係を有して配置される面形成部位は、一の標記と予め定められた位置関係を有して配置された面形成部位とは高さ方向における異なる位置に配置されることを特徴とすることができる。また、交差する関係で配置された面の各々は、キャップ本体の高さ方向において互いに異なる位置に配置されていることを特徴とすることができる。
【発明の効果】
【００１６】
容器を陳列する際に容器の標記をランダムな方向に向けて容器を置いても、標記を所定の方向に向けて陳列することが可能な陳列システム等を提供することが可能となる。
【図面の簡単な説明】
【００１７】
【図１】本発明の実施形態に係る陳列装置の概略構成を示した図である。
【図２−１】陳列装置の上面図および側面図である。
【図２−２】図２−１におけるＡ−Ａ線における断面図である。
【図２−３】陳列装置の変形例を示した図である。
【図２−４】陳列装置の変形例を示した図である。
【図２−５】陳列装置の変形例を示した図である。
【図３】容器を説明するための図である。
【図４】容器を説明するための図である。
【図５】陳列装置における容器の動作を説明するための図である。
【図６】容器の他の動作例を示した図である。
【図７】容器の他の動作例を示した図である。
【図８】容器の変形例を示した図である。
【図９】容器の変形例を示した図である。
【図１０】陳列装置の変形例を示す図である。
【図１１】容器の他の変形例を示した図である。
【図１２】容器の他の変形例を示した図である。
【図１３】陳列装置における容器の動作を説明するための図である。
【図１４】容器の他の変形例を示した図である。
【図１５】容器の他の変形例を示した図である。
【図１６】陳列装置における容器の動作を説明するための図である。
【図１７】容器における識別標記の配置位置を説明するための図である。
【図１８】容器の他の変形例を示した図である。
【図１９】容器の他の変形例を示した図である。
【図２０】容器の他の変形例を示した図である。
【図２１】陳列装置における容器の動作を説明するための図である。
【図２２】第２の実施形態における容器を示した図である。
【図２３】第２の実施形態における容器を示した図である。
【図２４】陳列装置における容器の動作を示した図である。
【図２５】容器の変形例を示した図である。
【図２６】容器の変形例を示した図である。
【図２７】容器の他の変形例を示した図である。
【図２８】容器の他の変形例を示した図である。
【図２９】陳列装置における容器の動作を示した図である。
【図３０】第３の実施形態における容器を示した図である。
【図３１】第３の実施形態における容器を示した図である。
【図３２】陳列装置における容器の動作を説明するための図である。
【図３３】陳列装置における容器の動作を説明するための図である。
【図３４】容器の変形例を示した図である。
【図３５】容器の他の変形例を示した図である。
【図３６】容器の他の変形例を示した図である。
【図３７】容器の他の変形例を示した図である。
【図３８】容器の変形例を示した図である。
【図３９】容器の変形例を示した図である。
【図４０】容器の変形例を示した図である。
【図４１】容器の変形例を示す図である。
【図４２】容器の変形例を示す図である。
【図４３】容器の変形例を示す図である。
【図４４】容器の変形例を示す図である。
【図４５】容器の変形例を示す図である。
【図４６】容器の変形例を示す図である。
【図４７】第１突起〜第５突起の配置態様を説明する図である。
【発明を実施するための形態】
【００１８】
―第１の実施形態―
以下、添付図面を参照して、本発明を実施するための形態について詳細に説明する。
図１は、本発明の実施形態に係る陳列装置の概略構成を示した図である。
同図（Ａ）に示すように本実施形態における陳列装置３０は、図柄が印刷されたフィルムＦが外周面に装着され且つ飲料が内部に充填された容器２０が載せられる載置部３１と、容器２０の移動経路（移動路）を形成するとともに容器２０の移動を案内するガイド３２とを備えている。また、載置部３１の一側辺に沿って配置され、容器２０の移動を停止させる、好ましくは透明に形成される規制板３４を備えている。また、陳列装置３０は、容器２０を回転させ容器２０に付された識別標記２３を前方に向ける回転機構５０を備えている。
【００１９】
陳列装置３０は、同図（Ｂ）に示すように、コンビニエンスストア、スーパーマーケットなどに設置される陳列ケース１０の内部に収納される。この陳列ケース１０は、直方体状に形成されたケース本体部１０Ａと、このケース本体部１０Ａに対して開閉可能に設けられたドア１０Ｂとにより主要部が構成されている。
ここで陳列装置３０は、陳列ケース１０に設けられた棚（不図示）の上に載せられる。この際、陳列装置３０は、規制板３４が設けられた側がドア１０Ｂ側に位置するように設置される。また陳列装置３０の載置部３１は、規制板３４が設けられた側が、規制板３４が設けられた側とは反対側よりも下方に位置するように配置される。即ち、陳列装置３０の載置部３１は、陳列ケース１０の後方側から容器２０が取り出される前方側（取り出し部側）に向かって下り傾斜した状態で配置される。
【００２０】
ここで本実施形態における陳列ケース１０は、後方側にもドアが設けられ（不図示）、後方側も開放可能となっている。そしてこの後方側より陳列装置３０に容器２０が投入される。即ち、陳列ケース１０の後方側および陳列装置３０の後方側に容器２０の投入部が設けられた構成となっている。そして、投入された容器２０は載置部３１上をドア１０Ｂ側に向かって移動する。即ち、容器２０を購入する購入者側に向かって移動する。なお、本明細書では、ドア１０Ｂ側を前方側（前方）と称しドア１０Ｂとは反対側を後方側（後方）と称する場合がある。また、陳列ケース１０の幅方向（容器２０が移動する方向に直交する方向）を横方向、幅方向と称する場合がある。
【００２１】
次に陳列装置３０についてより詳細に説明する。
図２−１は、陳列装置３０の上面図および側面図を示している。詳細には、同図（Ａ）は上面図を示し、同図（Ｂ）は右側面図を示している。また、図２−２は、図２−１におけるＡ−Ａ線における断面図である。
本実施形態における陳列装置３０では、図２−１（Ａ）に示すように、載置部３１に、複数のロール状部材３１１が設けられている。詳細に説明すると、複数のロール状部材３１１が前後方向に沿って並べられた第１ローラ列３１２と、同じく複数のロール状部材３１１が前後方向に沿って並べられた第２ローラ列３１３とが、載置部３１に設けられている。各々のロール状部材３１１は、容器２０の移動経路に沿った回転が可能なように設けられており、容器２０を前方へ円滑に移動させる。
【００２２】
また、陳列装置３０は、上記のとおり、容器２０を回転させ容器２０に付された識別標記２３を前方に向ける回転機構５０を備えている。
ここで回転機構５０は、同図（Ａ）に示すように、容器２０の移動経路に沿って設けられ且つ載置部３１の上方に設けられた棒状部材５１と、この棒状部材５１に取り付けられ容器２０の移動経路に突出した突出部の一例としての第１ピン５２１〜第６ピン５２６を備えている。ここで本実施形態では、容器２０の移動方向最上流側に第１ピン５２１が配置され、移動方向最下流側に第６ピン５２６が配置されている。また、第１ピン５２１〜第６ピン５２６の各々は、一定の間隙をおいて配置されている。また、回転機構５０は、棒状部材５１を右方側のガイド３２に固定する固定部材５３を備えている。なお、第１ピン５２１〜第６ピン５２６は、容器２０を回転させる回転手段として捉えることができる。
【００２３】
また、同図（Ｂ）に示すように、棒状部材５１には、前方に向かうに従い載置部３１から離れるような傾斜が付与されている。このため、本実施形態では、第１ピン５２１が載置部３１の最も近くに配置され、第６ピン５２６が載置部３１から最も離れた箇所に位置している。付言すれば第１ピン５２１〜第６ピン５２６は、高さ方向における位置が互いにずらされて配置されている。なお、本図では、理解を容易にするため、棒状部材５１の傾斜を実際の傾斜よりも大きく表示している。
【００２４】
また、本実施形態における固定部材５３は、右方側のガイド３２に差し込まれているとともに、この右方側のガイド３２に対してスライド可能となっている。このため、本実施形態における陳列装置３０では、固定部材５３を右方側のガイド３２に対しスライドさせることで第１ピン５２１〜第６ピン５２６を高さ方向に移動させることが可能となっている。また、本実施形態では、固定部材５３を右方側のガイド３２に位置決めするネジ５４が設けられている。
【００２５】
図２−２を参照してさらに詳細に説明すると、右方側のガイド３２は、矩形状の穴３２Ａを備えている。そして、本実施形態では、この穴３２Ａに対し固定部材５３がスライド可能な状態で差し込まれている。そして、穴３２Ａに差し込まれた固定部材５３をスライドさせることで第１ピン５２１〜第６ピン５２６を高さ方向に移動させることが可能となっている。また、固定部材５３は、ネジ５４によって、穴３２Ａの内壁に押し付けられ固定される。
【００２６】
なお、第１ピン５２１〜第６ピン５２６は次のように配置することもできる。
図２−３は、陳列装置３０の変形例を示した図である。なお、同図（Ａ）は陳列装置３０の上面図であり、同図（Ｂ）は同図（Ａ）のＡ−Ａ線における断面図である。
【００２７】
本陳列装置３０では、右方側のガイド３２と左方側のガイド３２を跨るように配置され、第１ピン５２１〜第６ピン５２６の支持に用いられる支持部材２００が設けられている。この支持部材２００は、アーチ状（ゲート状）に形成されており、左方側のガイド３２に固定されるとともにこの左方側のガイド３２から上方に延びる第１脚部２０１と、右方側のガイド３２に固定されるとともにこの右方側のガイド３２から上方に延びる第２脚部２０２と、第１脚部２０１と第２脚部２０２とを接続する天井部２０３とを備えている。
【００２８】
また、本陳列装置３０では、天井部２０３から下方に延びるとともに容器２０の移動経路に沿って設けられ、天井部２０３によって支持される被支持部材２５０が設けられている。そして、本陳列装置３０では、この被支持部材２５０に対し、第１ピン５２１〜第６ピン５２６が取り付けられている。後述するように、本実施形態では、第１ピン５２１〜第６ピン５２６が容器２０により押圧される。この際、第１ピン５２１〜第６ピン５２６が変位するおそれがあるが、本構成の場合、第１ピン５２１〜第６ピン５２６の変位が起こりにくくなる。なお、第１ピン５２１〜第６ピン５２６の上下方向への移動は、例えば、支持部材２００をガイド３２に対しスライドさせることで行うことができる。
【００２９】
また上記では、固定部材５３をスライドさせることで第１ピン５２１〜第６ピン５２６を高さ方向に移動させる構成を説明したが、次のような構成によっても、第１ピン５２１〜第６ピン５２６を高さ方向に移動させることができる。
【００３０】
図２−４は、陳列装置３０の変形例を示した図である。なお、同図（Ａ）は陳列装置３０の上面図であり、同図（Ｂ）は同図（Ａ）のＡ−Ａ線における断面図である。
本陳列装置３０には、上記と同様に、支持部材２００が設けられている。さらに、本陳列装置３０では、支持部材２００の第２脚部２０２に固定された固定部材２６０が設けられている。
固定部材２６０は、容器２０の移動経路に沿って設けられている。また、この固定部材２６０は、容器２０の移動経路に沿って設けられ上記棒状部材５１が嵌る溝２６１を複数備えている。さらに説明すると、溝２６１は、複数（本変形例では３つ）設けられるとともに、上方方向に並んで配列されている。本陳列装置３０では、棒状部材５１を嵌める溝２６１を異ならせることで、第１ピン５２１〜第６ピン５２６の高さ方向における位置が異なるようになる。
【００３１】
また陳列装置３０は次のような構成とすることもできる。
図２−５は、陳列装置３０の変形例を示した図である。
図２−４では、一つの移動経路（容器移動経路、移動レーン）に対して一つの支持部材２００を設けたが、複数（本変形例では３つ）の移動経路に対し一つの支持部材２００を設けることができる。付言すれば、天井部２０３を図２−４で示した天井部２０３よりも長くすることで、複数の移動経路に対して一つの支持部材２００を設けることができる。
【００３２】
なお、本陳列装置３０では、各々の移動経路に対応させて固定部材２６０を設けている。ここで、各固定部材２６０は、天井部２０３に固定されている。なお、本変形例では、固定部材２６０を設けた場合を一例に説明したが、図２−３にて説明した被支持部材２５０を各移動経路に対応させて設けることもできる。
【００３３】
次いで容器２０について説明する。
図３および図４は、容器２０を説明するための図である。なお、図３（Ａ）は容器２０の正面図を示し、同図（Ｂ）は容器２０の左側面図を示している。また、図４（Ａ）は容器２０の背面図を示し、同図（Ｂ）は容器２０の右側面図を示している。また、図３（Ａ）、（Ｂ）、図４（Ａ）、（Ｂ）の各々の上部に表示した図は、キャップ２２の上面図を示している。
【００３４】
本実施形態における容器２０は、ＰＥＴ（ポリエチレンテレフタレート）などの樹脂材料により形成された容器を例示している。例えば、このような容器２０は、樹脂材料を用いた射出成形（ブロー成形）法、樹脂材料を用いてプリフォームを成形後、これをブロー成形する方法により製造することができる。
図３（Ａ）に示すように本実施形態における容器２０は、上部に開口（飲み口）を有し且つ筒状に形成され内部に飲料が充填された容器本体２１と、容器本体２１の開口を塞ぐキャップ２２とを備えている。また容器本体２１の外周面には、フィルムＦが装着されている。なお、容器本体２１は、上部側の径が底部側の径よりも小さくなっている。即ち、容器本体２１は、上部側が縮径された状態となっている。
【００３５】
ここでフィルムＦには、同図（Ａ）に示すように、商品名、商標名など他の商品と識別するための識別標記２３が印刷されている。
また容器２０は、容器本体２１の上部に（キャップ２２の下部に）、容器本体２１の外周面から容器本体２１の径方向に環状に突出した第１突出部２４を備えている。ここで、この第１突出部２４は、容器本体２１と一体に形成されている。
【００３６】
さらに容器２０は、キャップ２２の下部側に、第２突出部２５を備えている。ここで、この第２突出部２５の突出量は、第１突出部２４の突出量よりも小さくなっている。なお、このようにキャップ２２の下部側に第２突出部２５を設ける場合、上部側に設ける場合に比べ、キャップ２２を操作する際の操作性が良好となる。また、第２突出部２５などは、容器本体２１側に設けることもできる。ここで第２突出部２５をキャップ２２に設ける場合、キャップ２２の形状を変更するだけですみ、容器本体２１の製造設備等の変更が不用となる。
【００３７】
また、第２突出部２５は、図３（Ａ）の断面図に示すように、識別標記２３が設けられた側から識別標記２３が設けられた側とは反対側にかけて、キャップ２２のキャップ本体２２Ａに巻き付くように設けられている。付言すれば、識別標記２３が設けられた側から反対側に向かって時計回り方向に沿って設けられている。さらに説明すると、第２突出部２５は、円筒状に形成され外周面を有したキャップ本体２２Ａの周方向における所定範囲内に設けられている。
【００３８】
さらに説明すると、キャップ２２は、容器２０を識別標記２３が設けられた側から眺めた場合に（図３（Ａ）参照）、キャップ本体２２Ａの右側面側に、第２突出部２５が設けられていない構成となっている。付言すると、第２突出部２５が設けられている高さ方向の位置において、キャップ２２の右側面側は（第２突出部２５に隣接する領域は）、キャップ本体２２Ａが露出する状態となっている。さらに説明すると、キャップ本体２２Ａの右側面に対する接線且つ容器２０の正面側から背面側に向かう接線であって上記第２突出部２５が設けられた高さ位置を通る接線（図３（Ａ）の断面図参照）よりも容器２０の右方側には、第２突出部２５が設けられていない構成となっている。
【００３９】
また、第２突出部２５は、その下面が階段状に形成されており、複数の段部を備えた構成となっている。詳細に説明すると、第２突出部２５は、時計回り方向に進むに従い高さが減少するように、その下面が階段状に形成されている。このため、本実施形態における第２突出部２５は、その下部に、高さ方向における位置が互いに異なる第１平坦面２５１〜第６平坦面２５６（接触部の一例）を備えた構成となっている。付言すると、第２突出部２５は、高さ方向における位置が互いに異なりまたキャップ本体２２Ａの周方向における位置が互いに異なる複数の端面を有している。ここで第２突出部２５（第１平坦面２５１〜第６平坦面２５６）が設けられた領域は面形成部位として捉えることができる。
【００４０】
ここで、第１平坦面２５１〜第６平坦面２５６の各々は、図３（Ａ）に示すように、キャップ本体２２Ａの外周面に対して交差する関係（略直交する関係）で配置されている。また、第１平坦面２５１は、図３（Ａ）に示すように、識別標記２３が設けられた側に位置している。また、第６平坦面２５６は、図４（Ａ）に示すように、識別標記２３が設けられた側とは反対側に位置している。また、第２平坦面２５２〜第５平坦面２５５は、第１平坦面２５１から第６平坦面２５６に向かって、第２平坦面２５２、第３平坦面２５３、第４平坦面２５４、第５平坦面２５５の順に設けられている。さらに、容器２０の周方向において、第１平坦面２５１〜第６平坦面２５６は所定の角度毎に設けられている。また、第１平坦面２５１が最も下部に位置し、第６平坦面２５６が最も上部に位置している。
【００４１】
なお、上記第２突出部２５や後述する第１突起２４１〜第５突起２４５は、キャップ２２の形成時にキャップ本体２２Ａと一体で形成することができる。また、例えば、樹脂片や金属片などの部材を別途貼付等したりして形成することができる。
【００４２】
次いで陳列装置３０における容器２０の動作について説明する。
図５は、陳列装置３０における容器２０の動作を説明するための図である。なお、本図では、第１ローラ列３１２、第２ローラ列３１３、および固定部材５３の図示を省略している。
同図の符号５Ａに示すように、識別標記２３が右斜め前方を向いた状態で容器２０が陳列装置３０に投入された場合、第１ピン５２１に対し第１平坦面２５１が突き当たるようになる。これによって容器２０には回転力が付与され、容器２０は反時計回りに回転を行うようになる。次いで容器２０の前方への移動に伴い、第２ピン５２２に対し第２平坦面２５２が突き当たり（符号５Ｂ参照）、容器２０は同様に反時計回りの回転を行う。
【００４３】
その後、容器２０は、第３ピン５２３に第３平坦面２５３が突き当たり、第４ピン５２４に第４平坦面２５４が突き当たり、第５ピン５２５に第５平坦面２５５が突き当たることで、周方向の回転を順次行っておく。そして最終的に、第６平坦面２５６が第６ピン５２６に突き当たることで、識別標記２３が前方を向くようになる（符号５Ｃ参照）。その後、容器２０は、載置部３１上をスライドし陳列装置３０の前方に到達する。
【００４４】
本実施形態では、識別標記２３と第２突出部２５（第１平坦面２５１〜第６平坦面２５６）が設けられた領域とが予め定められた位置関係を有して配置されている。付言すれば、識別標記２３と第２突出部２５が設けられた領域とが予め定められた位置関係を有するように、容器本体２１に対しキャップ２２が位置している。また、識別標記２３と第２突出部２５が設けられていない領域も予め定められた位置関係を有して配置されている。具体的には、識別標記２３が一方向を向いている場合に、第２突出部２５が設けられていない領域がこの一方向と直交する方向を向くようになっている。
【００４５】
このため本実施形態では、識別標記２３が前方以外の方向を向いている場合には容器２０が回転し、識別標記２３が前方を向いている場合には容器２０は回転を行わない。付言すると、識別標記２３が前方に向いていない状態で容器２０の投入を行ったとしても、陳列装置３０の前方側に容器２０が達した際に識別標記２３を前方に向いた状態となる。即ち本実施形態では、容器２０を陳列装置３０に投入する投入者が特別な操作をしないでも、識別標記２３が前方を向くこととなる。
【００４６】
なお上記では説明を省略したが、第１ピン５２１〜第６ピン５２６の各々は、高さ方向における位置が予め調整されている。即ち、第１ピン５２１と第１平坦面２５１とが突き当たるように、第２ピン５２２と第２平坦面２５２とが突き当たるように、第３ピン５２３と第３平坦面２５３とが突き当たるように、第１ピン５２１〜第３ピン５２３の各々は、高さ方向における位置が予め調整されている。また、第４ピン５２４と第４平坦面２５４とが突き当たるように、第５ピン５２５と第５平坦面２５５とが突き当たるように、第６ピン５２６と第６平坦面２５６とが突き当たるように、第４ピン５２４〜第６ピン５２６の各々は、高さ方向における位置が予め調整されている。
【００４７】
次いで容器２０の他の動作例を説明する。
図６、図７は、容器２０の他の動作例を示した図である。
図６（Ａ）に示すように、識別標記２３が陳列装置３０の後方側を向いた状態で容器２０が投入された場合、第３平坦面２５３が陳列装置３０の前方を向いた状態となる。そして容器２０は前方へ移動することとなるが、この第３平坦面２５３は、第１ピン５２１、第２ピン５２２（図２−１（Ｂ）も参照）の上方を通過するようになる。このため、容器２０は、回転せずに第３ピン５２３まで到達する。そして、容器２０はこの第３ピン５２３から回転力を受け上記と同様に回転を行う。そして容器２０は、上記と同様に、識別標記２３が前方を向いた状態で陳列装置３０の前方に到達する。
【００４８】
また例えば図６（Ｂ）に示すように、識別標記２３が左斜め前方を向いた状態で容器２０が投入された場合、第６平坦面２５６が陳列装置３０の前方を向いた状態となる。そして容器２０は前方へ移動することとなるが、この第６平坦面２５６は、第１ピン５２１〜第５ピン５２５（図２−１（Ｂ）も参照）の上方を通過するようになる。このため、容器２０は、回転せずに第６ピン５２６まで到達する。そして、容器２０はこの第６ピン５２６から回転力を受け上記と同様に回転を行う。そして容器２０は、上記と同様に、識別標記２３が前方を向いた状態で陳列装置３０の前方に到達する。
【００４９】
さらに例えば図７に示すように、識別標記２３が前方を向いた状態で容器２０が投入される場合もある。この場合、キャップ２２の側面であって第１ピン５２１〜第６ピン５２６が配置された側と対向する側面には、第２突出部２５が存在しない状態となる。付言すれば、第２突出部２５が存在しない領域（面）と、第１ピン５２１〜第６ピン５２６が配置された側とが対峙するようになる。さらに付言すれば、第１ピン５２１〜第６ピン５２６に突き当たる第１平坦面２５１〜第６平坦面２５６が、容器２０の図中右側面側に位置しない状態となる。このため、容器２０は、回転を行うことなく陳列装置３０の前方まで到達する。即ち、識別標記２３が前方を向いた状態を維持したまま陳列装置３０の前方まで到達する。
【００５０】
ここで、上記では一つの容器２０を投入した場合の動作を説明したが、陳列装置３０に既に複数の容器２０が陳列されている場合には、先頭に位置する容器２０の取り出しを行うと、この容器２０の分、空間が形成される。そして、この空間に向かって２番目の容器２０が移動するようになる。また、この２番目の容器２０に後続する容器２０の移動も開始される。この際、各容器２０は、第１ピン５２１〜第６ピン５２６により回転し、各容器２０の識別標記２３が前方を向くようになる。
【００５１】
なお容器２０は次のような形態とすることができる。
図８、図９は、容器２０の変形例を示した図である。なお、図８（Ａ）は容器２０の正面図を示し、同図（Ｂ）は容器２０の左側面図を示している。また、図９（Ａ）は容器２０の背面図を示し、同図（Ｂ）は容器２０の右側面図を示している。また、図８（Ａ）、（Ｂ）、図９（Ａ）、（Ｂ）の各々の上部に表示した図は、キャップ２２の上面図を示している。
【００５２】
図３、図４に示した容器２０においては、第２突出部２５における階段状の部位を、第２突出部２５の下面（下部）に設けたが、本変形例では、第２突出部２５の上面（上部）に設けている。なお、このような形態の容器２０を用いる場合には、図１０（陳列装置３０の変形例を示す図）に示す陳列装置３０を用いる。
この陳列装置３０では、棒状部材５１の傾斜を、図２−１で示した棒状部材５１の傾斜とは異ならせている。即ち、本棒状部材５１は、前方に向かうに従い載置部３１に接近するように配置されている。このため、本陳列装置３０では、第６ピン５２６が載置部３１の最も近くに配置され、第１ピン５２１が載置部３１から最も遠い位置に位置している。
【００５３】
容器２０の変形例を更に説明する。
図１１、図１２は、容器２０の他の変形例を示した図である。なお、図１１（Ａ）は容器２０の正面図を示し、同図（Ｂ）は容器２０の左側面図を示している。また、図１２（Ａ）は容器２０の背面図を示し、同図（Ｂ）は容器２０の右側面図を示している。また、図１１（Ａ）、（Ｂ）、図１２（Ａ）、（Ｂ）の各々の上部に表示した図は、キャップ２２の上面図を示している。
【００５４】
本変形例における容器２０では、識別標記２３が２つ設けられた状態となっている。即ち、第１識別標記２３ａ、第２識別標記２３ｂが設けられた状態となっている。ここで、第１識別標記２３ａおよび第２識別標記２３ｂは、容器２０の周方向において、位相が１８０°ずれた状態となっている。付言すれば、第１識別標記２３ａが設けられた側とは反対側に第２識別標記２３ｂが設けられた状態となっている。
【００５５】
また、本変形例における容器２０では、第２突出部２５が２つ設けられた状態となっている。詳細には、第１識別標記２３ａの上部に一方の第２突出部２５が設けられ、第２識別標記２３ｂの上部に他方の第２突出部２５が設けられている。さらに説明すると、第１識別標記２３ａおよび第２識別標記２３ｂに対して位相が９０°ずれた位置には、第２突出部２５が設けられていない構成となっている。なお、第２突出部２５の各々は、上記と同様に、下面が階段状に形成され、下部に、第１平坦面２５１〜第３平坦面２５３を備えている。
【００５６】
次いで、陳列装置３０における容器２０の動作について説明する。
図１３は、陳列装置３０における容器２０の動作を説明するための図である。
図１３（Ａ）に示すように、例えば第１識別標記２３ａが陳列装置３０の後方側を向いた状態で容器２０が投入された場合、２つの第２突出部２５のうちの一方の第２突出部２５における第１平坦面２５１が陳列装置３０の前方を向いた状態となる。そして容器２０は前方へ移動することとなるが、この際、この第１平坦面２５１が、第１ピン５２１に突き当たるようになる。この結果、容器２０は反時計回りに回転する。その後、第２平坦面２５２が第２ピン５２２に突き当たり、容器２０は更に回転する。また、第３平坦面２５３が第３ピン５２３に突き当たり、容器２０は更に回転する。これにより第１識別標記２３ａが前方を向くようになる。
【００５７】
また、図１３（Ｂ）に示すように、例えば第２識別標記２３ｂが陳列装置３０の後方側を向いた状態で容器２０が投入された場合、２つの第２突出部２５のうちの他方の第２突出部２５における第１平坦面２５１が陳列装置３０の前方を向いた状態となる。そして容器２０は前方へ移動することとなるが、この際、この第１平坦面２５１が、第１ピン５２１に突き当たるようになる。この結果、容器２０は反時計回りに回転する。その後、第２平坦面２５２が第２ピン５２２に突き当たり、容器２０は更に回転する。また、第３平坦面２５３が第３ピン５２３に突き当たり、容器２０は更に回転する。これにより第２識別標記２３ｂが前方を向くようになる。
【００５８】
なお、上記の容器２０においては、各々の第２突出部２５に、３つの平坦面が設けられている。このため、陳列装置３０においては、この３つの平坦面に対応させて３本のピンを設けている。即ち、本変形例では、３６０°に近い容器２０の回転（図５参照）を行わないでよいため、ピンの数を減らすことが可能となる。この結果、図１３に示したように、陳列装置３０の上部のみに回転機構５０が設けられた構成となる。
【００５９】
ここで図２−１に示した陳列装置３０では、容器２０の移動経路の右側に第１ピン５２１〜第６ピン５２６が設けられていたが、設置スペース等の関係から移動経路の左側に第１ピン５２１〜第６ピン５２６を設けたい場合もある。ところでこのような構成の陳列装置３０に対して上記の容器２０を投入しても容器２０を回転させることはできない。このため、容器２０は次のような形態とすることもできる。
【００６０】
図１４、図１５は、容器２０の他の変形例を示した図である。なお、図１４（Ａ）は容器２０の正面図を示し、同図（Ｂ）は容器２０の左側面図を示している。また、図１５（Ａ）は容器２０の背面図を示し、同図（Ｂ）は容器２０の右側面図を示している。また、図１４（Ａ）、（Ｂ）、図１５（Ａ）、（Ｂ）の各々の上部に表示した図は、Ａ−Ａ線における断面図、およびＢ−Ｂ線における断面図を示している。
【００６１】
ここで本変形例における容器２０では、上記と同様に、第２突出部２５が２つ設けられている。但し、２つの第２突出部２５は、上下にずらされて配置されている。付言すれば、上方に一方の第２突出部２５が設けられ、下方に他方の第２突出部２５が設けられている。
【００６２】
ここで、上方に配置された一方の第２突出部２５は、高さ方向における寸法を除き、図８、図９で示した第２突出部２５と同様の構成となっている。
また、下方に配置された他方の第２突出部２５も基本的には、図３、図４で示した第２突出部２５と同様の構成となっている。即ち、識別標記２３が設けられた側から識別標記２３が設けられた側とは反対側にかけて、キャップ本体２２Ａに巻き付くように設けられている。
但し、下方に配置された他方の第２突出部２５は、上方に位置する第２突出部２５と異なり、識別標記２３が設けられた側から反時計回り方向に向かって設けられている。さらに説明すると、下方の第２突出部２５が設けられた高さ方向の位置において、容器２０（キャップ２２）の左側面側には、第２突出部２５が設けていない構成となっている（図１４（Ａ）参照）。付言すれば、この左側面側は、キャップ本体２２Ａが露出する状態となっている。
【００６３】
ついで陳列装置３０における容器２０の動作について説明する。
図１６は、陳列装置３０における容器２０の動作を説明するための図である。ここで本図では、容器２０の移動経路の左側に第１ピン５２１〜第６ピン５２６が設けられた陳列装置３０を示している。
同図の符号１６Ａに示すように、識別標記２３が左斜め前方を向いた状態で容器２０が陳列装置３０に投入された場合、第１ピン５２１に対し下方に位置する第２突出部２５の第１平坦面２５１が突き当たるようになる。これによって容器２０には回転力が付与され、容器２０は時計回りに回転を行う。次いで容器２０の前方への移動に伴い、第２ピン５２２に対し第２平坦面２５２が突き当たり（符号１６Ｂ参照）、容器２０は同様に時計回りの回転を行う。
【００６４】
その後、容器２０は、第３平坦面２５３が第３ピン５２３に突き当たり、第４平坦面２５４が第４ピン５２４に突き当たり、第５平坦面２５５が第５ピン５２５に突き当たることで、時計回りの回転を順次行っていく。そして最終的に、第６平坦面２５６が第６ピン５２６に突き当たることで、識別標記２３が前方を向くようになる（符号１６Ｃ参照）。その後、容器２０は、載置部３１上をスライド移動し、識別標記２３が前方を向いた状態で陳列装置３０の前方に到達する。
【００６５】
なお、第１ピン５２１〜第６ピン５２６が上方の第２突出部２５に対応した位置に設けられていると、容器２０を上記のように回転させることができない。このため、容器２０の移動経路の左側に第１ピン５２１〜第６ピン５２６を設ける場合、第１ピン５２１〜第６ピン５２６が下方の第２突出部２５に対応するように、第１ピン５２１〜第６ピン５２６（固定部材５３）の位置を調整する必要がある。
【００６６】
ところで容器２０における識別標記２３は１つに限らず２つ設けられる場合も多い。また、２つ設けられた識別標記２３は、１８０°の位相ずれに限らず、図１７（容器２０における識別標記２３の配置位置を説明するための図）に示すように１８０°以外のずれを有して配置される場合もある。このような容器２０に対しては、第２突出部２５を次のように設けることができる。
【００６７】
図１８は、容器２０の他の変形例を示した図である。
ここで本図における容器２０では、第１識別標記２３ａと第２識別標記２３ｂの２つの識別標記２３が設けられている。なお、同図（Ａ）は容器２０を第１識別標記２３ａが設けられた側から眺めた場合の図を示し、同図（Ｂ）は容器２０を第２識別標記２３ｂが設けられた側から眺めた場合の図を示している。また同図（Ａ）、（Ｂ）の各々の上部に表示した図は、Ａ−Ａ線における断面図、Ｂ−Ｂ線における断面図を示している。ここで、本図では、第１識別標記２３ａおよび第２識別標記２３ｂが１２０°のずれを有して配置された場合を例示している。
【００６８】
本変形例における容器２０においても、２つの第２突出部２５が設けられている。そして一方の第２突出部２５は上方に配置され、他方の第２突出部２５は下方に配置されている。また、一方の第２突出部２５と他方の第２突出部２５は、容器２０の周方向において互いにずれた状態で設けられている。なお、２つの第２突出部２５の各々は、高さ方向における寸法を除き、図３、図４で示した第２突出部２５と同様の構成を有している。
【００６９】
また、上方に位置する第２突出部２５は、第１識別標記２３ａに対応して設けられ、下方に位置する第２突出部２５は第２識別標記２３ｂに対応して設けられている。
このため、上方の第２突出部２５が設けられた位置（高さ方向における位置）において、キャップ本体２２Ａの右側面には、第２突出部２５が設けられておらず、キャップ本体２２Ａが露出する状態となっている（同図（Ａ）参照）。また、下方の第２突出部２５が設けられた位置（高さ方向における位置）において、キャップ本体２２Ａの右側面には、第２突出部２５が設けられておらず、キャップ本体２２Ａが露出する状態となっている（同図（Ｂ）参照）。
【００７０】
ここで陳列装置３０において第１識別標記２３ａを前方に向けたい場合には、固定部材５３の高さ方向における位置を調整し、上記第１ピン５２１〜第６ピン５２６を、上方に位置する第２突出部２５に対応するように配置する。そしてこの状態にて容器２０を陳列装置３０に投入すると、上記にて説明したように、第１識別標記２３ａが前方を向くようになる。また、陳列装置３０において第２識別標記２３ｂを前方に向けたい場合には、固定部材５３の高さ方向における位置を調整し、第１ピン５２１〜第６ピン５２６を、下方に位置する第２突出部２５に対応するように配置する。そしてこの状態にて容器２０を投入すると、第２識別標記２３ｂが前方を向くようになる。
【００７１】
また容器２０は次のような構成とすることもできる。
図１９、図２０は、容器２０の他の変形例を示した図である。なお、図１９は容器２０の正面図であり、図２０は容器２０の背面図である。また、図２０の上部に示した２つの図は、それぞれＡ−Ａ線における断面図、Ｂ−Ｂ線における断面図を示している。
【００７２】
ここで本容器２０では、図１９に示すように一つの識別標記２３が設けられている。また、上記と同様、第１突出部２４が設けられている。さらに本容器２０では、図２０に示すように、識別標記２３が設けられた側とは反対側に、第２突出部２５が２つ設けられている。さらに説明すると、識別標記２３に対して位相が１８０°ずれた位置に、２つの第２突出部２５が設けられている。また、識別標記２３に対して位相が９０°、−９０°ずれた位置には、第２突出部２５が設けられていない構成となっている。
【００７３】
２つの第２突出部２５は、上下にずらされて配置されている。付言すれば、上方に一方の第２突出部２５が設けられ、下方に他方の第２突出部２５が設けられている。
ここで、上方に配置された一方の第２突出部２５は、高さ方向における寸法を除き、図１１（Ａ）で示した第２突出部２５と同様の構成となっている。即ち、上方に配置された一方の第２突出部２５は、下面が階段状に形成され、下部に、第１平坦面２５１〜第３平坦面２５３を備えている。Ａ−Ａ線における断面図も参照しながらさらに説明すれば、時計回り方向において、第１平坦面２５１〜第３平坦面２５３は、第１平坦面２５１、第２平坦面２５２、第３平坦面２５３の順に設けられている。
【００７４】
また、下方に配置された他方の第２突出部２５は、上方に配置された上記一方の第２突出部２５と同様の構成を基本的に有している。但し、Ｂ−Ｂ線における断面図に示すように、第１平坦面２５１〜第３平坦面２５３は、時計回り方向において、第３平坦面２５３、第２平坦面２５２、第１平坦面２５１の順に設けられている。
【００７５】
次いで陳列装置３０における容器２０の動作について説明する。
図２１は、陳列装置３０における容器２０の動作を説明するための図である。ここで本図では、容器２０の移動経路の左側に第１ピン５２１〜第３ピン５２３が設けられ、また、容器２０の移動経路の右側に第１ピン５２１〜第３ピン５２３が設けられた陳列装置３０を示している。
【００７６】
同図（Ａ）に示すように、例えば識別標記２３が陳列装置３０の左側且つ後方側を向いた状態で容器２０が投入された場合、上記２つの第２突出部２５のうちの一方の第２突出部２５（上方の第２突出部２５）における第１平坦面２５１が陳列装置３０の前方を向いた状態となる。そして容器２０は前方へ移動することとなるが、この際、この第１平坦面２５１が、移動経路の右側に設けられた第１ピン５２１に突き当たるようになる。この結果、容器２０は反時計回りに回転する。その後、第２平坦面２５２が同じく右側に設けられた第２ピン５２２に突き当たり、容器２０は更に回転する。また、第３平坦面２５３が同じく右側に設けられた第３ピン５２３に突き当たり、容器２０は更に回転する。これにより識別標記２３が前方を向くようになる。
【００７７】
また、同図（Ｂ）に示すように、例えば識別標記２３が陳列装置３０の右側且つ後方側を向いた状態で容器２０が投入された場合、上記２つの第２突出部２５のうちの他方の第２突出部２５（下方の第２突出部２５）における第１平坦面２５１が陳列装置３０の前方を向いた状態となる。そして容器２０は前方へ移動することとなるが、この際、この第１平坦面２５１が、移動経路の左側の第１ピン５２１に突き当たるようになる。この結果、容器２０は時計回りに回転する。その後、第２平坦面２５２が同じく左側の第２ピン５２２に突き当たり、容器２０は更に回転する。また、第３平坦面２５３が同じく左側の第３ピン５２３に突き当たり、容器２０は更に回転する。これにより識別標記２３が前方を向くようになる。
【００７８】
ここで、移動経路の左側に位置する第１ピン５２１〜第３ピン５２３は、上記他方の第２突出部２５（下方の第２突出部２５）に対応するため、移動経路の右側に位置する第１ピン５２１〜第３ピン５２３よりも下方に（載置部３１に近い側に）位置している。
【００７９】
図１９、図２０で示した、識別標記２３が一つ設けられた容器２０の場合、図２−１〜図４に示した構成によって識別標記２３を前方に向けることが可能となるが、この構成の場合、上記にて説明したように、第１ピン５２１〜第６ピン５２６の６本のピンが必要となる。付言すれば、容器２０を３６０°近く回転させる必要があるため、図２−１にも示したように、容器２０の取り出し部の近くまでピンが配置されることとなる。そしてこの場合、容器２０が取り出しにくくなるおそれがある。
【００８０】
図１９、図２０で示した容器２０の場合、図２−１で示した構成よりもピンの数を減らすことが可能となり、ピンを陳列装置３０の例えば上部側に設置可能となる。この場合、容器２０をより取り出しやすくなる。また、第１ピン５２１〜第６ピン５２６の６本のピンが必要な場合（容器２０を３６０°近く回転させる必要がある場合）、陳列装置３０の前後方向における長さが大きくなる。図１９〜図２１で示した構成の場合、容器２０を最大で１８０°回転させればよいため、陳列装置３０の前後方向における長さを小さいものとすることが可能となる。
【００８１】
―第２の実施形態―
上記では第２突出部２５を用いて容器２０の識別標記２３を前方に向ける例を説明した。ところで容器２０は次のような構成とすることもできる。
図２２、図２３は、第２の実施形態における容器２０を示した図である。なお、図２２（Ａ）は容器２０の正面図を示し、同図（Ｂ）は容器２０の左側面図を示している。また、図２３（Ａ）は容器２０の背面図を示し、同図（Ｂ）は容器２０の右側面図を示している。また、図２２（Ａ）、（Ｂ）、図２３（Ａ）、（Ｂ）の各々の上部に表示した図は、キャップ２２の上面図である。
【００８２】
本実施形態における容器２０では、キャップ２２に、環状突出部２２Ｂが設けられている。この環状突出部２２Ｂは、円筒状のキャップ本体２２Ａの外周面からキャップ本体２２Ａの径方向に突出して設けられるとともに、キャップ本体２２Ａの周方向に沿って環状に形成されている。また、容器２０は、環状突出部２２Ｂから下方に突出する棒状の第１突起２４１〜第５突起２４５を備えている。ここで第１突起２４１〜第５突起２４５は、容器２０（キャップ２２）の周方向に沿って設けられている。また、第１突起２４１〜第５突起２４５は、容器２０の周方向（時計回り方向）において、第１突起２４１、第２突起２４２、第３突起２４３、第４突起２４４、第５突起２４５、の順に設けられている。さらに、第１突起２４１〜第５突起２４５は、ほぼ等間隔に配置されている。
【００８３】
また第１突起２４１は、識別標記２３が設けられた側であって容器２０の右側面側に設けられている（図２２（Ａ）参照）。また、第５突起２４５は、識別標記２３が設けられた側とは反対側であって容器２０の右側面側に設けられている（図２２（Ａ）の上面図参照）。また、第２突起２４２〜第４突起２４４は、第１突起２４１と第５突起２４５との間に配置されている。
【００８４】
さらに、環状突出部２２Ｂからの突出量は、第１突起２４１が最も大きく、次いで第２突起２４２となっている。また、第３突起２４３の突出量は、第２突起２４２よりも小さく、第４突起２４４の突出量は、第３突起２４３よりも小さくなっている。そして、第５突起２４５の突出量が最も小さくなっている。なお本実施形態における容器２０においても、キャップ本体２２Ａの接線よりも右方側にはいずれの突起も設けられていない（図２２（Ａ）の上面図参照）。
【００８５】
次いで、本実施形態における容器２０の動作について説明する。
図２４は、陳列装置３０における容器２０の動作を示した図である。例えば、同図の符号２１Ａに示すように、識別標記２３が右斜め前方を向いた状態で容器２０が陳列装置３０に投入された場合、第１ピン５２１に対し第１突起２４１が突き当たるようになる。これによって容器２０には回転力が付与され、容器２０は反時計回りに回転を行うようになる。次いで容器２０の前方への移動に伴い、第２ピン５２２に対し第２突起２４２が突き当たり（符号２１Ｂ参照）、容器２０は同様に反時計回りの回転を行う。
【００８６】
その後、容器２０は、第３ピン５２３に第３突起２４３が突き当たり、第４ピン５２４に第４突起２４４が突き当たることで、周方向の回転を順次行う。そして最終的に、第５突起２４５が第５ピン５２５に突き当たることで（符号２１Ｃ参照）、識別標記２３が前方を向くようになる。その後、容器２０は、載置部３１上をスライドし陳列装置３０の前方に到達する。ここで、本図に示した陳列装置３０には、図２−１に示した陳列装置３０を用いている。そして、本陳列装置３０では、突起（第１突起２４１〜第５突起２４５）の数に対応させて、ピンの数を５本としている。なお、本実施形態では、第１突起２４１〜第５突起２４５の５つの突起、第１ピン５２１〜第５ピン５２５の５本のピンを設けた場合を一例に説明したが、突起およびピンは適宜数を増やすことが可能である。突起およびピンの数を増やすことにより、容器２０の回転がより滑らかになる。
【００８７】
なお、容器２０は次のような構成としてもよい。
図２５、図２６は、容器２０の変形例を示した図である。なお、図２５（Ａ）は容器２０の正面図を示し、同図（Ｂ）は容器２０の左側面図を示している。また、図２６（Ａ）は容器２０の背面図を示し、同図（Ｂ）は容器２０の右側面図を示している。また、図２５（Ａ）、（Ｂ）、図２６（Ａ）、（Ｂ）の各々の上部に表示した図は、キャップ２２の上面図を示している。
【００８８】
これらの図に示す容器２０では、第１突起２４１〜第５突起２４５を棒状とせず板状（リブ状）としている。また、第１突起２４１〜第５突起２４５の各々は、放射状に配置されている。また、第１突起２４１〜第５突起２４５の各々は、環状突出部２２Ｂのみではなくキャップ本体２２Ａによっても支持されている。このため、本変形例における容器２０では、第１突起２４１〜第５突起２４５の強度を、図２２、図２３で示した態様に比して高めることができる。
【００８９】
さらに容器２０は次のような形態とすることもできる。
図２７、図２８は、容器２０の他の変形例を示した図である。なお、図２７（Ａ）は容器２０の正面図を示し、同図（Ｂ）は容器２０の左側面図を示している。また、図２８（Ａ）は容器２０の背面図を示し、同図（Ｂ）は容器２０の右側面図を示している。また、図２７（Ａ）、（Ｂ）、図２８（Ａ）、（Ｂ）の各々の上部に表示した図は、キャップ２２の上面図を示している。
【００９０】
上記では、第１突起２４１〜第５突起２４５の各々の高さを異ならせるとともに、陳列装置３０における第１ピン５２１〜第５ピン５２５の高さを異ならせた。一方で、第１突起２４１〜第５突起２４５の高さ方向における寸法を、図２７、図２８に示すように等しくしてもよい。換言すると、第１突起２４１〜第５突起２４５の高さ方向における寸法に差を付けない構成とすることもできる。また、陳列装置３０における第１ピン５２１〜第５ピン５２５の高さ（第１ピン５２１〜第５ピン５２５の載置部３１からの高さ）を等しくすることができる。
【００９１】
ここで図２９は、陳列装置３０における容器２０の動作を示した図である。なお、本図における陳列装置３０では、第１ピン５２１〜第５ピン５２５の高さを異ならせず、載置部３１からほぼ等しい高さ位置に第１ピン５２１〜第５ピン５２５を配置している。
【００９２】
ここで例えば、同図（Ａ）に示すように、識別標記２３が右斜め前方を向いた状態で容器２０が投入された場合、まず第１突起２４１が第１ピン５２１に突き当たる。これによって容器２０は反時計回りの回転を行う。その後、容器２０は、第２突起２４２が第２ピン５２２に突き当たり、第３突起２４３が第３ピン５２３に突き当たり、第４突起２４４が第４ピン５２４に突き当たることで、順次回転を行う。そして、容器２０は、第５突起２４５が第５ピン５２５に突き当たることで更に回転する。この結果、識別標記２３が前方を向くようになる。
【００９３】
また、例えば、同図（Ｂ）に示すように、識別標記２３が後方を向いた状態で容器２０が投入された場合、まず第３突起２４３が第１ピン５２１に突き当たる。これによって容器２０は反時計回りの回転を行う。その後、容器２０は、第４突起２４４が第２ピン５２２に突き当たり、第５突起２４５が第３ピン５２３に突き当たることで、順次回転を行う。これによって、識別標記２３が前方を向くようになる。そしてこの場合、第１突起２４１〜第５突起２４５が設けられていない部位が、第１ピン５２１〜第５ピン５２５が配置された側に対向する状態となる。この結果、容器２０は、残りの第４ピン５２４、第５ピン５２５に突き当たることなく前方へ移動していく。
【００９４】
―第３の実施形態―
上記第１の実施形態および第２の実施形態では、キャップ２２の径方向において、キャップ本体２２Ａの外周面よりも外側に、第１平坦面２５１〜第６平坦面２５６や、第１突起２４１〜第５突起２４５を設けた。ところで、次に説明するように、キャップ２２の径方向において、キャップ本体２２Ａの外周面よりも内側（キャップ２２の内方側、キャップ本体２２Ａの外周面よりもキャップ本体２２Ａ側）に、第１平坦面２５１〜第６平坦面２５６や第１突起２４１〜第５突起２４５を設けることができる。このような場合、キャップ本体２２Ａの外周面よりも外側に第１平坦面２５１〜第６平坦面２５６等が位置している場合に比べ、キャップ２２の操作をより行いやすくなる。
【００９５】
図３０、図３１は、第３の実施形態における容器２０を示した図である。なお、図３０（Ａ）は容器２０の正面図を示し、同図（Ｂ）は容器２０の左側面図を示している。また、図３１（Ａ）は容器２０の背面図を示し、同図（Ｂ）は容器２０の右側面図を示している。また、図３０（Ａ）、（Ｂ）、図３１（Ａ）、（Ｂ）の各々の上部に表示した図は、キャップ２２の上面図を示している。
【００９６】
本実施形態における容器２０では、キャップ本体２２Ａの外周面に、キャップ２２の周方向に沿った溝２２Ｃが設けられている。そして、本実施形態では、この溝２２Ｃの上部が階段状に形成されることで、第１平坦面２５１〜第６平坦面２５６が形成されている。付言すれば、キャップ本体２２Ａにおける部位であって溝２２Ｃの上部に位置する部位が階段状となっており、この部位に、第１平坦面２５１〜第６平坦面２５６が形成された状態となっている。なお、上記では説明を省略したが、キャップ２２は、穴２２Ｅを備えるとともに、この穴２２Ｅの内壁にねじ部（不図示）を有している。また、容器本体２１側にもねじ部（不図示）設けられている。そして、容器本体２１側のねじ部とキャップ２２側のねじ部とが噛み合うことで、容器本体２１に対しキャップ２２が固定される。
【００９７】
次に、本実施形態における容器２０の動作を説明する。
図３２、図３３は、陳列装置３０における容器２０の動作を説明するための図である。
図３２（Ａ）の符号３２Ａに示すように、識別標記２３が右斜め前方を向いた状態で容器２０が陳列装置３０に投入された場合、第１ピン５２１に対し第１平坦面２５１が突き当たるようになる。これによって容器２０には回転力が付与され、容器２０は反時計回りに回転を行うようになる。次いで容器２０の前方への移動に伴い、第２ピン５２２に対し第２平坦面２５２が突き当たり（符号３２Ｂ参照）、容器２０は同様に反時計回りの回転を行う。
【００９８】
その後、容器２０は、第３ピン５２３に第３平坦面２５３が突き当たり、第４ピン５２４に第４平坦面２５４が突き当たり、第５ピン５２５に第５平坦面２５５が突き当たることで、周方向の回転を順次行っておく。そして最終的に、第６平坦面２５６が第６ピン５２６に突き当たることで、識別標記２３が前方を向くようになる（符号３２Ｃ参照）。その後、容器２０は、載置部３１上をスライドし陳列装置３０の前方に到達する。
【００９９】
なお、本実施形態における陳列装置３０では、載置部３１（容器２０の載置面）に幅方向における傾斜が付与されている。具体的には、図中右側のガイド３２側の方が図中左側のガイド３２側よりも下方に位置するように、載置部３１に傾斜が付与されている。このため、本実施形態では、容器２０は、前方に移動する過程において図中右方側に寄り、キャップ２２の外周面が第１ピン５２１〜第６ピン５２６に接触するようになっている。
【０１００】
次いで、同図（Ｂ）を参照し、容器２０の他の動作例を説明する。
同図（Ｂ）に示すように、識別標記２３が前方を向いた状態で容器２０が投入される場合がある。この場合、キャップ２２の側面（キャップ本体２２Ａの外周面）であって第１ピン５２１〜第６ピン５２６が配置された側と対向する側面には、第１平坦面２５１〜第６平坦面２５６が存在しない状態となる。このため、容器２０は、キャップ２２の側面が第１ピン５２１〜第６ピン５２６に順次接触するもののほとんど回転せず、陳列装置３０の前方まで到達する。即ち、識別標記２３が前方を向いた状態を維持したまま陳列装置３０の前方まで到達する。
【０１０１】
容器２０の他の動作例をさらに説明する。
図３３（Ａ）に示すように、識別標記２３が陳列装置３０の後方側を向いた状態で容器２０が投入された場合には、第３平坦面２５３が陳列装置３０の前方を向いた状態となる。そして容器２０は前方へ移動することとなるが、この第３平坦面２５３は、第１ピン５２１、第２ピン５２２（図２−１（Ｂ）も参照）の上方を通過するようになる。このため、容器２０は、回転せずに第３ピン５２３まで到達する。そして、容器２０はこの第３ピン５２３から回転力を受け上記と同様に回転を行う。そして容器２０は、上記と同様に、識別標記２３が前方を向いた状態で陳列装置３０の前方に到達する。
【０１０２】
また例えば図３３（Ｂ）に示すように、識別標記２３が左斜め前方を向いた状態で容器２０が投入された場合、第６平坦面２５６が陳列装置３０の前方を向いた状態となる。そして容器２０は前方へ移動することとなるが、この第６平坦面２５６は、第１ピン５２１〜第５ピン５２５（図２−１（Ｂ）も参照）の上方を通過するようになる。このため、容器２０は、回転せずに第６ピン５２６まで到達する。そして、容器２０はこの第６ピン５２６から回転力を受け上記と同様に回転を行う。そして容器２０は、上記と同様に、識別標記２３が前方を向いた状態で陳列装置３０の前方に到達する。
【０１０３】
なお容器２０は次のような形態とすることもできる。
図３４は、容器２０の変形例を示した図である。なお、図３４（Ａ）は容器２０の正面図を示し、同図（Ｂ）は容器２０の背面図を示している。また、図３４（Ａ）、（Ｂ）の各々の上部に表示した図は、キャップ２２の上面図を示している。
【０１０４】
図３０、図３１に示した容器２０においては、階段状の部位を溝２２Ｃの上部に設けたが、図３４に示すように、階段状の部位は、溝２２Ｃの下部に設けることができる。付言すれば、本実施形態におけるキャップ２２は、キャップ本体２２Ａにおける部位であって溝２２Ｃの下部に面する部位が階段状となっており、この部位に、第１平坦面２５１〜第６平坦面２５６が形成された状態となっている。なお、このような形態の容器２０を用いる場合には、図１０に示した陳列装置３０を用いる。
【０１０５】
容器２０の変形例を更に説明する。
図３５は、容器２０の他の変形例を示した図である。なお、図３５（Ａ）は容器２０の正面図を示し、同図（Ｂ）は容器２０の背面図を示している。また、図３５（Ａ）、（Ｂ）の各々の上部に表示した図は、キャップ２２の上面図を示している。
【０１０６】
本変形例における容器２０は、第１平坦面２５１〜第３平坦面２５３が設けられた位置を除き、図１１、図１２に示した容器２０と同様の構成を有している。詳細に説明すると、本変形例における容器２０は、第１識別標記２３ａ、第２識別標記２３ｂを有している。また、本変形例における容器２０では、溝２２Ｃが２つ設けられた状態となっている。詳細には、第１識別標記２３ａの上部に一方の溝２２Ｃが設けられ、第２識別標記２３ｂの上部に他方の溝２２Ｃが設けられている。
【０１０７】
さらに説明すると、第１識別標記２３ａおよび第２識別標記２３ｂに対して位相が９０°ずれた位置には、溝２２Ｃが設けられていない構成となっている。そして、本実施形態における容器２０では、各溝２２Ｃの上部に階段状の部位が形成されている。また、各溝２２Ｃに、第１平坦面２５１〜第３平坦面２５３が設けられている。なお、本図に示す容器２０の動作は、図１３に示した動作と同様であり説明を省略する。
【０１０８】
また、図１４〜図１６を用いて説明したとおり、設置スペース等の関係から移動経路の左側に第１ピン５２１〜第６ピン５２６を設けたい場合もある。この場合、容器２０を次のような形態とすることができる。
【０１０９】
図３６、図３７は、容器２０の他の変形例を示した図である。なお、図３６（Ａ）は容器２０の正面図を示し、同図（Ｂ）は容器２０の左側面図を示している。また、図３７（Ａ）は容器２０の背面図を示し、同図（Ｂ）は容器２０の右側面図を示している。また、図３６（Ａ）、（Ｂ）、図３７（Ａ）、（Ｂ）の各々の上部に表示した図は、Ａ−Ａ線における断面図、およびＢ−Ｂ線における断面を示している。
【０１１０】
ここで本変形例における容器２０では、溝２２Ｃが２つ設けられている。但し、２つの溝２２Ｃは、上下にずらされて配置されている。付言すれば、上方に一方の溝２２Ｃが設けられ、下方に他方の溝２２Ｃが設けられている。
【０１１１】
ここで、上方に配置された一方の溝２２Ｃは、高さ方向における寸法を除き、図３０、図３１で示した溝２２Ｃと同様の構成となっている。
また、下方に配置された他方の溝２２Ｃも基本的には、図３４で示した溝２２Ｃと同様の構成となっている。即ち、識別標記２３が設けられた側から識別標記２３が設けられた側とは反対側にかけて、キャップ本体２２Ａに巻き付くように設けられている。但し、下方に配置された他方の溝２２Ｃは、上方に位置する溝２２Ｃと異なり、識別標記２３が設けられた側から反時計回り方向に向かって設けられている。
【０１１２】
ここで、容器２０の移動経路の右側に第１ピン５２１〜第６ピン５２６が配置されている場合には、上方に配置された溝２２Ｃに形成された第１平坦面２５１〜第６平坦面２５６を、第１ピン５２１〜第６ピン５２６に突き当てることで容器２０を回転させることができる。その一方で、容器２０の移動経路の左側に第１ピン５２１〜第６ピン５２６が配置されている場合には、下方に配置された溝２２Ｃに形成された第１平坦面２５１〜第６平坦面２５６を、第１ピン５２１〜第６ピン５２６に突き当てることで容器２０を回転させることができる。なお、容器２０の動作は、図１６等に示した動作と同様であり、詳細な説明は省略する。
【０１１３】
また、図１８を用いて説明したとおり、容器２０に、第１識別標記２３ａと第２識別標記２３ｂの２つの識別標記２３が設けられるとともに、第１識別標記２３ａおよび第２識別標記２３ｂが所定の角度（例えば１２０°）のずれを有して配置される場合がある。この場合、図１８にて説明したとおり、２つの第２突出部２５を設けることで、一方の識別標記２３を前方に向けることができる。
【０１１４】
ここで、図１８における容器２０では、２つの第２突出部２５を設けるとともに、各第２突出部２５に第１平坦面２５１〜第６平坦面２５６を設けた。ところで図３８（容器２０の変形例を示した図）に示すように、溝２２Ｃを２つ設けるとともに各溝２２Ｃに第１平坦面２５１〜第６平坦面２５６を設けることによっても、一方の識別標記２３を前方に向けることが可能となる。
【０１１５】
なお、図３８（Ａ）は容器２０を第１識別標記２３ａが設けられた側から眺めた場合の図を示し、同図（Ｂ）は容器２０を第２識別標記２３ｂが設けられた側から眺めた場合の図を示している。また同図（Ａ）、（Ｂ）の各々の上部に表示した図は、Ａ−Ａ線における断面図、Ｂ−Ｂ線における断面図を示している。また、図３８では、第１識別標記２３ａおよび第２識別標記２３ｂが１２０°のずれを有して配置された場合を例示している。
【０１１６】
また、図１９〜図２１を用いて説明したとおり、識別標記２３に対して位相が１８０°ずれた位置に、２つの第２突出部２５を設けるとともに、各第２突出部２５に対し第１平坦面２５１〜第３平坦面２５３を設けることで、１８０°以内の容器２０の回転で識別標記２３を前方に向けることが可能となる。
【０１１７】
図１９〜図２１では、第２突出部２５に第１平坦面２５１〜第３平坦面２５３を設けた場合を一例に説明した。ところで、図３９（容器２０の変形例を示した図）、図４０（容器２０の変形例を示した図）に示すように、上下方向に並んで配列された２つの溝２２Ｃを設けるとともに、各溝２２Ｃに第１平坦面２５１〜第３平坦面２５３を設けることによっても、１８０°以内の回転で識別標記２３を前方に向けることが可能となる。なお、図３９は容器２０の正面図を示し、図４０は容器２０の背面図を示している。また、図４０の上部に示した２つの図は、それぞれＡ−Ａ線における断面図、Ｂ−Ｂ線における断面図を示している。
【０１１８】
また、図２２〜図２４を用いて説明したとおり、キャップ２２に、環状突出部２２Ｂを設けるとともに、この環状突出部２２Ｂに対し棒状の第１突起２４１〜第５突起２４５を設けることによって、容器２０の識別標記２３を前方に向けることが可能となる。ところで、図２２〜図２４では、キャップ本体２２Ａの外周面よりも外側に第１突起２４１〜第５突起２４５が設けられていたが、図４１、図４２（容器２０の変形例を示す図）に示すようにキャップ本体２２Ａの外周面よりもキャップ２２の内方側に、第１突起２４１〜第５突起２４５を設けることもできる。詳細に説明すると、図４１、図４２に示す容器２０では、キャップ本体２２Ａの下部に環状の凹部２２Ｄを設けるとともに、この凹部２２Ｄ内に第１突起２４１〜第５突起２４５を設けている。
【０１１９】
なお、図４１（Ａ）は容器２０の正面図を示し、同図（Ｂ）は容器２０の左側面図を示している。また、図４２（Ａ）は容器２０の背面図を示し、同図（Ｂ）は容器２０の右側面図を示している。また、図４１（Ａ）、（Ｂ）、図４２（Ａ）、（Ｂ）の各々の上部に表示した図は、キャップ２２の上面図である。
【０１２０】
また、図２５、図２６にて、板状（リブ状）の第１突起２４１〜第５突起２４５を用いて容器２０を回転させる場合を説明したが、図２５、図２６に示した容器２０では、キャップ本体２２Ａの外周面よりも外側に第１突起２４１〜第５突起２４５が設けられていた。ところで、図４３、図４４（容器２０の変形例を示す図）に示すようにキャップ本体２２Ａの外周面よりもキャップ２２の内方側に、第１突起２４１〜第５突起２４５を設けることもできる。詳細に説明すると、図４３、図４４に示す容器２０では、キャップ本体２２Ａに溝２２Ｃを設けるとともに、この溝２２Ｃ内に第１突起２４１〜第５突起２４５を設けている。
【０１２１】
なお、図４３（Ａ）は容器２０の正面図を示し、同図（Ｂ）は容器２０の左側面図を示している。また、図４４（Ａ）は容器２０の背面図を示し、同図（Ｂ）は容器２０の右側面図を示している。また、図４３（Ａ）、（Ｂ）、図４４（Ａ）、（Ｂ）の各々の上部に表示した図は、キャップ２２の上面図を示している。
【０１２２】
さらに、図２７、図２８にて、第１突起２４１〜第５突起２４５が板状（リブ状）であり且つ第１突起２４１〜第５突起２４５の高さ方向における寸法に差が存在しない容器２０を説明した。ところで、図４５、図４６（容器２０の変形例を示す図）に示すようにキャップ本体２２Ａの外周面よりもキャップ２２の内方側に、第１突起２４１〜第５突起２４５を設けることもできる。詳細に説明すると、図４５、図４６に示す容器２０では、キャップ本体２２Ａに溝２２Ｃを設けるとともに、この溝２２Ｃ内に第１突起２４１〜第５突起２４５を設けている。
なお、図４５（Ａ）は容器２０の正面図を示し、同図（Ｂ）は容器２０の左側面図を示している。また、図４６（Ａ）は容器２０の背面図を示し、同図（Ｂ）は容器２０の右側面図を示している。また、図４５（Ａ）、（Ｂ）、図４６（Ａ）、（Ｂ）の各々の上部に表示した図は、キャップ２２の上面図を示している。
【０１２３】
なお、上記にて説明した棒状の第１突起２４１〜第５突起２４５（図２２、図２３参照）は、環状突出部２２Ｂの外周縁側に配置することが好ましい。例えば第１突起２４１〜第５突起２４５が図４７（第１突起２４１〜第５突起２４５の配置態様を説明する図）の（Ｂ）に示すようにキャップ本体２２Ａに寄って配置されている場合、容器２０の１回あたりの回転量が小さくなる。
【０１２４】
一方で、第１突起２４１〜第５突起２４５が、環状突出部２２Ｂの外周縁側に配置されている場合、同図（Ａ）に示すように、容器２０の一回あたりの回転量を大きくすることができる。この結果、突起（第１突起２４１〜第５突起２４５）の数の増加や、ピン（第１ピン５２１〜第６ピン５２６）の数の増加を抑制可能となる。なお同様の理由により、図４１、図４２にて説明した第１突起２４１〜第５突起２４５も、キャップ本体２２Ａの外周面側に配置することが好ましい。また、同様の理由により、リブ状の第１突起２４１〜第５突起２４５（図２５〜図２８参照）も、環状突出部２２Ｂの外周縁まで配置することが好ましい。さらに、図４３〜図４６に示したリブ状の第１突起２４１〜第５突起２４５も、キャップ本体２２Ａの外周面まで配設することが好ましい。
【０１２５】
ここで、上記にて説明した形態では、飲料が充填された容器２０を一例に説明したが、容器２０は飲料を充填したものに限られない。例えば化粧品が充填された容器２０や、液体状の石鹸が充填された容器２０なども一例として挙げられる。
【符号の説明】
【０１２６】
２０…容器、２１…容器本体、２２…キャップ、２２Ａ…キャップ本体、２５…第２突出部、３０…陳列装置、２５１〜２５６…第１平坦面〜第６平坦面、５２１〜５２６…第１ピン〜第６ピン
【図１】
2010246783.tif 000003
【図２−１】
2010246783.tif 000004
【図２−２】
2010246783.tif 000005
【図２−３】
2010246783.tif 000006
【図２−４】
2010246783.tif 000007
【図２−５】
2010246783.tif 000008
【図３】
2010246783.tif 000009
【図４】
2010246783.tif 000010
【図５】
2010246783.tif 000011
【図６】
2010246783.tif 000012
【図７】
2010246783.tif 000013
【図８】
2010246783.tif 000014
【図９】
2010246783.tif 000015
【図１０】
2010246783.tif 000016
【図１１】
2010246783.tif 000017
【図１２】
2010246783.tif 000018
【図１３】
2010246783.tif 000019
【図１４】
2010246783.tif 000020
【図１５】
2010246783.tif 000021
【図１６】
2010246783.tif 000022
【図１７】
2010246783.tif 000023
【図１８】
2010246783.tif 000024
【図１９】
2010246783.tif 000025
【図２０】
2010246783.tif 000026
【図２１】
2010246783.tif 000027
【図２２】
2010246783.tif 000028
【図２３】
2010246783.tif 000029
【図２４】
2010246783.tif 000030
【図２５】
2010246783.tif 000031
【図２６】
2010246783.tif 000032
【図２７】
2010246783.tif 000033
【図２８】
2010246783.tif 000034
【図２９】
2010246783.tif 000035
【図３０】
2010246783.tif 000036
【図３１】
2010246783.tif 000037
【図３２】
2010246783.tif 000038
【図３３】
2010246783.tif 000039
【図３４】
2010246783.tif 000040
【図３５】
2010246783.tif 000041
【図３６】
2010246783.tif 000042
【図３７】
2010246783.tif 000043
【図３８】
2010246783.tif 000044
【図３９】
2010246783.tif 000045
【図４０】
2010246783.tif 000046
【図４１】
2010246783.tif 000047
【図４２】
2010246783.tif 000048
【図４３】
2010246783.tif 000049
【図４４】
2010246783.tif 000050
【図４５】
2010246783.tif 000051
【図４６】
2010246783.tif 000052
【図４７】
2010246783.tif 000053
【手続補正書】
【提出日】平成22年6月24日(2010.6.24)
【手続補正１】
【補正対象書類名】特許請求の範囲
【補正対象項目名】全文
【補正方法】変更
【補正の内容】
【特許請求の範囲】
【請求項１】
開口を有し外面に標記が付された容器本体と、当該容器本体の当該開口を塞ぐキャップとを備えた容器と、
前記容器を陳列する陳列装置と、
を備え、
前記陳列装置は、
前記容器が移動する移動路と、
前記容器の移動方向にて複数の位置に配置され、前記移動路に突出する突出部と、を備え、
前記容器の前記キャップは、
筒状に形成され外周面を有したキャップ本体と、
前記キャップ本体の周方向における所定範囲内に且つ当該周方向において複数配置され、前記陳列装置に設けられた前記突出部に接触可能な接触部と、
を備え、
前記移動路を移動する前記容器の前記標記が特定の方向を向いていない場合に前記接触部が前記突出部に順次接触することで当該容器が周方向に回転し当該標記が当該特定の方向を向くことを特徴とする陳列システム。
【請求項２】
前記接触部は、筒状に形成された前記キャップ本体の前記外周面よりも当該キャップ本体側の軸心側に設けられていることを特徴とする請求項１記載の陳列システム。
【請求項３】
前記接触部の各々は、前記容器の高さ方向において互いに異なる位置に配置されていることを特徴とする請求項１又は２に記載の陳列システム。
【請求項４】
前記突出部の各々は、複数の前記接触部のうちの一の接触部に接触し他の接触部には接触しないように高さ方向における位置が互いにずらされて設けられていることを特徴とする請求項３記載の陳列システム。
【請求項５】
開口を有し外面に標記が付された容器本体と、外周面を有するとともに当該外周面と交差する関係の面を周方向の所定範囲内に且つ当該周方向の異なる位置に複数備え当該容器本体の当該開口を塞ぐキャップとを備えた容器を陳列可能な陳列装置であって、
前記容器が移動する移動路と、
前記移動路を移動する前記容器の前記標記が特定の方向以外の方向を向いている場合に前記交差する関係の面に順次接触し当該容器を回転させ、当該移動路を移動する当該容器の当該標記が当該特定の方向を向いている場合に前記キャップの前記外周面であって当該交差する関係の面が設けられていない部位に対峙する回転手段と、
を含む陳列装置。
【請求項６】
前記回転手段は、高さ方向における位置が調整可能に設けられていることを特徴とする請求項５記載の陳列装置。
【請求項７】
前記回転手段は、前記容器の移動方向における複数の箇所に、前記移動路に突出する突出部を有し、当該突出部を前記交差する関係の面に順次接触させることで当該容器の前記回転を行うことを特徴とする請求項５又は６に記載の陳列装置。
【請求項８】
開口を有し外面に標記が付された容器本体と、前記容器本体に装着され前記開口を塞ぐとともに陳列装置にて当該容器本体が移動する際に当該陳列装置側に接触し当該容器本体を周方向に回転させるキャップと、を備え、
前記キャップは、
筒状に形成されるとともに外周面を有したキャップ本体と、
前記容器本体の前記標記と当該容器本体の周方向にて予め定められた位置関係を有した箇所に位置し、前記キャップ本体の前記外周面と交差する関係で配置された面が当該キャップ本体の周方向において複数設けられ、当該容器本体が前記陳列装置にて移動する際に当該陳列装置の所定部位に対し当該交差する関係で配置された面を順次接触させることで当該容器本体を周方向に回転させ当該標記を特定の方向に向ける面形成部位と、
を有することを特徴とする容器。
【請求項９】
前記容器本体の周方向において前記面形成部位に隣接した箇所には、前記交差する関係で配置された面が設けられていない部位が設けられ、
前記容器本体の前記回転に伴い前記面が設けられてない部位が前記陳列装置の前記所定部位と対峙することで当該回転が行われなくなり、前記標記が前記特定の方向を向いた状態で当該容器本体が移動していくことを特徴とする請求項８記載の容器。
【請求項１０】
前記外周面と交差する関係で配置された面は、筒状に形成された前記キャップ本体の前記外周面よりも当該キャップ本体の軸心側に設けられていることを特徴とする請求項８記載の容器。
【請求項１１】
前記面形成部位とは高さ方向における異なる位置に、当該面形成部位を更に備えることを特徴とする請求項８乃至１０の何れかに記載の容器。
【請求項１２】
前記標記は、前記容器本体の周方向における異なる位置に複数設けられ、
前記面形成部位は、複数の前記標記のうちの一の標記と前記予め定められた位置関係を有して配置され、
複数の前記標記のうちの他の標記と予め定められた位置関係を有して配置された前記面形成部位を更に備えることを特徴とする請求項８乃至１０の何れかに記載の容器。
【請求項１３】
前記他の標記と予め定められた位置関係を有して配置された前記面形成部位は、前記一の標記と予め定められた位置関係を有して配置された前記面形成部位とは高さ方向における異なる位置に配置されていることを特徴とする請求項１２記載の容器。
【請求項１４】
前記交差する関係で配置された面の各々は、前記キャップ本体の高さ方向において互いに異なる位置に配置されていることを特徴とする請求項８乃至１３の何れかに記載の容器。
【請求項１５】
陳列装置にて陳列可能な容器に装着され当該陳列装置にて当該容器が移動する際に当該陳列装置側に接触し当該容器を周方向に回転させるキャップであって、
筒状に形成されるとともに外周面を有し、外面に標記が付された前記容器の開口を塞ぐキャップ本体と、
前記容器と前記キャップ本体とが予め定められた位置関係を有した状態で当該容器に当該キャップ本体が装着された場合に当該容器の周方向にて前記標記と予め定められた位置関係を有した箇所に位置し、当該キャップ本体の前記外周面と交差する関係で配置された面が当該キャップ本体の周方向において複数設けられ、当該容器が前記陳列装置にて移動する際に当該陳列装置の所定部位に対し当該交差する関係で配置された面を順次接触させることで当該容器を周方向に回転させ当該標記を特定の方向に向ける面形成部位と、
を含むキャップ。
【請求項１６】
前記外周面と交差する関係で配置された面は、筒状に形成された前記キャップ本体の前記外周面よりも当該キャップ本体の軸心側に設けられていることを特徴とする請求項１５記載のキャップ。
【請求項１７】
前記面形成部位とは高さ方向における異なる位置に、当該面形成部位を更に備えることを特徴とする請求項１５又は１６に記載のキャップ。
【請求項１８】
前記面形成部位は、前記容器に設けられた複数の前記標記のうちの一の標記と前記予め定められた位置関係を有して配置され、
複数の前記標記のうちの他の標記と予め定められた位置関係を有して配置される前記面形成部位を更に備えることを特徴とする請求項１５又は１６に記載のキャップ。
【請求項１９】
前記他の標記と予め定められた位置関係を有して配置される前記面形成部位は、前記一の標記と予め定められた位置関係を有して配置された前記面形成部位とは高さ方向における異なる位置に配置されることを特徴とする請求項１８記載のキャップ。
【請求項２０】
前記交差する関係で配置された面の各々は、前記キャップ本体の高さ方向において互いに異なる位置に配置されていることを特徴とする請求項１５乃至１９の何れかに記載のキャップ。